(57)【特許請求の範囲】
【請求項１】
縦枠と上枠と下枠とによって組み立てられた壁枠組みと壁面材からなる壁パネルであって、
最も外側の縦枠とその隣の縦枠との間に懸吊用ワイヤを挿入可能な間隙が設けられ、前記間隙の上部にピンが前記一対の縦枠を横方向に貫通して設けられ、前記上枠にワイヤ挿通孔が前記間隙に連通して設けられ、前記上枠の端部上面に補強プレートが張設され、その補強プレートに前記ワイヤ挿通孔と重合してワイヤを挿通可能な孔が設けられ、
前記補強プレートに、孔の壁パネル中心側縁部を保護する保護材が設けられていることを特徴とする壁パネル。
【請求項２】
最も外側の縦枠の外側面からその隣の縦枠の内側面までの幅寸法が、壁枠組みの厚さ寸法と略同一である請求項１記載の壁パネル。
【請求項３】
縦枠と上枠と下枠とによって組み立てられた壁枠組みと壁面材からなり、最も外側の縦枠とその隣の縦枠との間に懸吊用ワイヤを挿入可能な間隙が設けられ、前記間隙の上部にピンが前記一対の縦枠を横方向に貫通して設けられ、前記上枠にワイヤ挿通孔が前記間隙に連通して設けられてなる壁パネルの前記上枠の端部上面に張設される壁パネル用補強プレートであって、
前記ワイヤ挿通孔と重合してワイヤを挿通可能な孔と、
この孔の壁パネル中心側縁部を保護する保護材とを設けたことを特徴とする壁パネル用補強プレート。
【発明の詳細な説明】
【０００１】
【発明の属する技術分野】
本発明は、主に建物ユニット用の壁パネルならびに壁パネル用補強プレートに関する。
【０００２】
【従来の技術】
近年では、住宅の工業生産化を図ることを目的として、運搬可能な大きさの立体的な建物ユニットを工場内で組み立て、これら複数の建物ユニットを建築現場で接合して建物を完成させるといった方式が多く採用されるようになってきている。また、この方式では、建築現場において建物ユニットを持ち上げることが必要になるが、その場合、建物ユニットに取り付けた懸吊治具にクレーンの吊り金具を引っ掛けて建物ユニットを懸吊している。
【０００３】
懸吊治具が取り付けられている建物ユニット用の壁パネルとしては、特公昭５９−５０８３５号公報に記載されているものが最も一般に使用されている。この壁パネルは、図８に示すように、縦枠１０１と上枠１０２と下枠とによって組み立てられた壁枠組み１００と壁面材（図示省略）から構成されており、前記壁枠組み１００の最も外側の縦枠１０１とその隣の縦枠１０１との間には所定の間隙が設けられていて、上枠１０２にはその間隙に連通するボルト挿通孔１０３が設けられている。また、前記縦枠１０１，１０１間の間隙の上部にはロの字形の枠金具２００が配設され、この枠金具２００の天板部下面にはナット３００が溶着されており、前記ボルト挿通孔１０３を通して前記ナット３００にアイボルト４００を螺合させ、このアイボルト４００にクレーン等の吊り金具５００を係止させることができるようになっている。また、前記一対の縦枠１０１，１０１ならびに枠金具２００を横に貫通してピン６００が設けられており、クレーンで建物ユニットを懸吊しても、このピン６００の剪断力によって枠金具２００が縦枠材１０１，１０１に保持されるようになっている。
【０００４】
しかしながら、上記懸吊治具を用いた場合、建築現場においてアイボルト４００の螺着ならびに取り外しが必要であり、作業の煩雑化を招く。また、壁枠組みの最も外側の縦枠とその隣の縦枠との間に、少なくともロの字形の枠金具２００を配設できるだけの寸法の間隙が必要になるため、図９に示すように、最も外側の縦枠１０１の外側面からその隣の縦枠１０１の内側面までの幅寸法Ｗが、壁枠組み１００の肉厚Ｔよりも大きくなってしまう。その結果、壁パネルにできるだけ広く開口部１０４を設けたくても、開口部１０４の脇に壁の出っ張りａができてしまっていた。
【０００５】
この問題を解決する壁パネルとして、本願出願人は、特願平９−４２５２５号に記載されているようなものを先に出願している。
この先願発明では、壁枠組みの最も外側の縦枠とその隣の縦枠との間の間隙の上部に、前記一対の縦枠を横方向に貫通するピンが設けられ、前記壁枠組みの上枠には、前記縦枠間の間隙に連通するワイヤ挿通孔が設けられている。すなわち、リング状の懸吊用ワイヤを前記ピンに引っ掛けると共に、その懸吊用ワイヤの一部をワイヤ挿通孔を通して上枠の上に引き出し、その引き出した部分に吊り金具を係止させることにより懸吊することができる。この先願発明は、アイボルトの螺着ならびに取り外しが不要なので建築現場での作業が煩雑になることはないし、壁枠組みの最も外側の縦枠とその隣の縦枠との間の間隙は、リング状の懸吊用ワイヤを挿入できるだけの小さな寸法にすることができるので、壁パネルに開口部を設ける場合に、開口部の脇に壁の出っ張りができないようにすることもできる。
【０００６】
【発明が解決しようとする課題】
しかしながら、上記先願の壁パネルにあっては、次のような課題が残されていることが解った。
すなわち、図１０に示すように、上枠７０１のワイヤ挿通孔７０２から引き出した懸吊用ワイヤ７０３の一部に吊り金具７０４を係止させて壁パネルを懸吊する場合、懸吊用ワイヤ７０３は斜め上方に引っ張られるため、壁パネルの荷重が懸吊用ワイヤ７０３を通してワイヤ挿通孔７０２の縁に入力してしまい、懸吊用ワイヤ７０３がワイヤ挿通孔７０２の縁に食い込み、しいては、上枠７０１に亀裂ｃが生じたりする虞がある。
【０００７】
そこで本発明は、上記のような問題に着目し、建築現場での作業性が良く、広い開口部を確保でき、しかも、上枠を傷付けることなく懸吊することができる壁パネルを提供することを目的としている。
【０００８】
上記目的を達成するため、請求項１の発明では、縦枠と上枠と下枠とによって組み立てられた壁枠組みと壁面材からなる壁パネルであって、
最も外側の縦枠とその隣の縦枠との間に懸吊用ワイヤを挿入可能な間隙が設けられ、前記間隙の上部にピンが前記一対の縦枠を横方向に貫通して設けられ、前記上枠にワイヤ挿通孔が前記間隙に連通して設けられ、前記上枠の端部上面に補強プレートが張設され、その補強プレートに前記ワイヤ挿通孔と重合してワイヤを挿通可能な孔が設けられ、前記補強プレートに、孔の壁パネル中心側縁部を保護する保護材が設けられている構成とし、請求項２記載の発明では、請求項１記載の発明において、最も外側の縦枠の外側面からその隣の縦枠の内側面までの幅寸法が、壁枠組みの厚さ寸法と略同一である構成とした。
また、請求項３記載の発明では、縦枠と上枠と下枠とによって組み立てられた壁枠組みと壁面材からなり、最も外側の縦枠とその隣の縦枠との間に懸吊用ワイヤを挿入可能な間隙が設けられ、前記間隙の上部にピンが前記一対の縦枠を横方向に貫通して設けられ、前記上枠にワイヤ挿通孔が前記間隙に連通して設けられてなる壁パネルの前記上枠の端部上面に張設される壁パネル用補強プレートであって、
前記ワイヤ挿通孔と重合してワイヤを挿通可能な孔と、
この孔の壁パネル中心側縁部を保護する保護材とを設けたことを特徴とする。
【０００９】
【作用】
請求項１記載の発明では、リング状の懸吊用ワイヤをピンに引っ掛けると共にその懸吊用ワイヤの一部を上枠のワイヤ挿通孔と補強プレートの孔を通して補強プレートの上に引き出し、その引き出した部分に吊り金具を係止させることにより懸吊することができる。
また、懸吊する際、懸吊用ワイヤが斜め上方に引っ張られたとしても、壁パネルの荷重は上枠の端部上面に張設されている補強プレートに入力され、上枠への荷重入力は軽減されるので、懸吊用ワイヤがワイヤ挿通孔の縁に食い込んだり、上枠に亀裂が生じたりするのを防止することができる。
また、補強プレートに、孔の壁パネル中心側縁部を保護する保護材が設けられているので、懸吊する際の荷重によって補強プレート自身が損傷するのを防止することもできる。
【００１０】
請求項２記載の発明では、最も外側の縦枠の外側面からその隣の縦枠の内側面までの幅寸法が壁枠組みの厚さ寸法と略同一であるので、広い開口部を確保したい場合には、開口部の脇に壁の出っ張りができないようにすることもできる。
【００１２】
請求項３記載の発明では、孔が壁パネルのワイヤ挿通孔に重合するようにして上枠の端部上面に張設することにより、懸吊用ワイヤがワイヤ挿通孔の縁に食い込んだり、上枠に亀裂が生じたりするのを防止することができる。
【００１３】
【発明の実施の形態】
まず、図１〜図４に基づいて、実施の形態の壁パネルについて詳述する。図１は実施の形態の壁パネルを備えた建物ユニットの斜視図、図２は図１の要部IIの拡大図、図３は図１の要部IIの正面図、図４は図１のIV−IV断面図である。
【００１４】
図１の建物ユニットは、平面長方形の床パネル１と、その床パネル１の対向する一対の短辺側側縁部に立設された妻壁パネル２，２ならびに一方の長辺側側縁部に立設された桁壁パネル３とで構成されている。
【００１５】
前記妻壁パネル２，２ならびに前記桁壁パネル３は、縦枠２１１，３１１と上枠２１２，３１２と下枠２１３，３１３とによって組み立てられた壁枠組み２１，３１と、その壁枠組み２１，３１に固定された壁面材２２，３２とで構成されており、一方の妻壁パネル２には開口部２３が設けられている。
【００１６】
また、前記妻壁パネル２は、図４に示すように、最も外側の縦枠２１１の外側面からその隣の縦枠２１１の内側面までの幅寸法ｗが、壁枠組みの厚さ寸法ｔと略同一になっており、それら一対の縦枠２１１，２１１間には、懸吊用ワイヤ４を挿入できるだけの小さな間隙ｓが設けられている。また、図３に示すように、前記間隙ｓの上部には、ピン５（例えば曲げボルト）が前記一対の縦枠２１１，２１１を横方向に貫通して設けられており、上枠２１２には、ワイヤ挿通孔２１４が前記間隙ｓに連通して設けられていると共に、その端部上面には金属製の補強プレート６が４本のビス７で固定されている。
【００１７】
図２に示すように、前記補強プレート６には、前記上枠２１２のワイヤ挿通孔２１４と重合して懸吊用ワイヤ４を挿通可能な孔６１が設けられていると共に、前記孔６１の妻壁パネル２中心側縁部を保護する保護材６２と、荷積め用ワイヤ８のズレを防止するズレ止め６３が設けられている。前記保護材６２ならびに前記ずれ止め６３は、鋼棒で形成されていて溶接によって補強プレート６に固定されている。そして、前記保護材６２は、前記孔６１に少し重なるようにして妻壁パネル２の厚さ方向に設けられており、前記ズレ止め６３は、前記保護材６２と直角に前記孔６１を挟む２箇所に設けられている。また、補強プレート６の一側縁には下方に折曲げられた折曲部６９が設けられており、この折曲部６９は、妻壁パネル２への補強プレート６取付時の位置決め機能を有している。
【００１８】
すなわち、クレーンで上記建物ユニットを懸吊する場合には、図３に示すように、リング状の懸吊用ワイヤ４をピン５に引っ掛けると共にその懸吊用ワイヤ４の一部を上枠２１２のワイヤ挿通孔２１４と補強プレート６の孔６１を通して補強プレート６の上に引き出し、その引き出した部分に吊り金具９を係止させることができる。
【００１９】
この懸吊の際に懸吊用ワイヤ４が斜め上方に引っ張られたとしても、建物ユニットの荷重は上枠２１２の端部上面に張設されている金属製の補強プレート６に入力され、上枠２１２への荷重入力は軽減されるので、懸吊用ワイヤ４がワイヤ挿通孔２１４の縁に食い込んだり、上枠２１２に亀裂が生じたりするのを防止できる。しかも、補強プレート６には保護材６２が設けられているので、懸吊する際の荷重によって補強プレート６自身が損傷するといったこともない。
【００２０】
また、最も外側の縦枠２１１の外側面からその隣の縦枠２１１の内側面までの幅寸法ｗが、壁枠組み２１の厚さ寸法ｔと略同一であるので、開口部２３の脇に壁の出っ張りができないようにして広い開口部を確保することもできる。
【００２１】
更に、工場内で組み立てた建物ユニットをトラック等の車両に積載して輸送する際には、図２に示すように、補強プレート６の上に引き出した懸吊用ワイヤ４に荷積め用ワイヤ８を通し、この荷積め用ワイヤ８で建物ユニットを車両に固定することができる。補強プレート６には、この荷積め用ワイヤ８のズレを防止するズレ止め６３が設けられているので、輸送時の震動等により荷積め用ワイヤ８が建物ユニットから外れるのを防止し安定した固定状態を得ることもできる。
【００２２】
次に、図５〜図７を参照して補強プレート６の変形例について説明する。
【００２３】
図５に示す補強プレート６ａは、Ｕ字形に湾曲させた鋼棒６４により保護材とズレ止めを兼ねた例である。
【００２４】
図６に示す補強プレート６ｂは、補強プレート６ｂの互いに対向する縁部を立ち上げ、その立ち上げ部６５をずれ止めとし、かつ、補強プレート６ｂの一部を下に切り倒すことで孔６１を形成し、その切り倒し部６６を保護材とした例である。
【００２５】
図７に示す補強プレート６ｃは、補強プレート６ｃの相対向する縁部を立ち上げ、その立ち上げ部６５をずれ止めとし、かつ、それらの立ち上げ部６５間に鋼棒からなる保護材６７を設けた例である。
【００２６】
以上、本発明の実施の形態を図面により詳述してきたが、具体的な構成はこの実施の形態に限られるものではなく、本発明の要旨を逸脱しない範囲における設計の変更等があっても本発明に含まれる。例えば、実施の形態では、妻壁パネル２に懸吊用ワイヤを取り付けるためのピン５ならびに補強プレート６が取り付けられている例を示したが、一対の桁壁パネル３が対向して設けられている建物ユニットの場合には、桁壁パネル３にピン５や補強プレート６を取り付けるようにしてもよい。更に、本発明は、建物ユニット用の壁パネルに限定されず、単体で懸吊される壁パネルであってもよい。
【００２７】
【発明の効果】
以上説明したように、本発明の壁パネルにあっては、懸吊する際に、アイボルトの螺着ならびに取り外しが不要なので建築現場での作業が煩雑になることはないし、壁枠組みの最も外側の縦枠とその隣の縦枠との間の間隙は、リング状の懸吊用ワイヤを挿入できるだけの小さな寸法にすることができるので、広い開口部を確保したい場合には、開口部の脇に壁の出っ張りができないようにすることもできるという効果が得られる。
また、上枠の端部上面に補強プレートが張設されているので、懸吊する際の壁パネルの荷重が補強プレートに入力され、上枠への荷重入力は軽減されるので、懸吊用ワイヤがワイヤ挿通孔の縁に食い込んだり、上枠に亀裂が生じたりするのを防止することができるという効果も得られる。
【図面の簡単な説明】
【図１】  実施の形態の壁パネルを備えた建物ユニットの斜視図である。
【図２】  図１の要部IIの拡大図である。
【図３】  図１の要部IIの正面図である。
【図４】  図１のIV−IV断面図である。
【図５】  補強プレートの変形例を示す斜視図である。
【図６】  補強プレートの変形例を示す斜視図である。
【図７】  補強プレートの変形例を示す斜視図である。
【図８】  従来の壁パネルを示す正面図である。
【図９】  従来の壁パネルを示す横断面図である。
【図１０】  先願の壁パネルの要部斜視図である。
【符号の説明】
１  床パネル
２  妻壁パネル
２１  壁枠組み
２１１  縦枠
２１２  上枠
２１３  下枠
２１４  ワイヤ挿通孔
２２  壁面材
３  桁妻パネル
３１  壁枠組み
３１１  縦枠
３１２  上枠
３１３  下枠
３２  壁面材
４  懸吊用ワイヤ
５  ピン
６  補強プレート
６１  孔
６２  保護材
６３  ズレ止め
７  ビス
８  荷積め用ワイヤ
９  吊り金具
【図１】
0003877420.tif 000002
【図２】
0003877420.tif 000003
【図３】
0003877420.tif 000004
【図４】
0003877420.tif 000005
【図５】
0003877420.tif 000006
【図６】
0003877420.tif 000007
【図７】
0003877420.tif 000008
【図８】
0003877420.tif 000009
【図９】
0003877420.tif 000010
【図１０】
0003877420.tif 000011